(57)【特許請求の範囲】
【請求項１】
リ−ル本体に回転自在に支持されたロ−タと、該ロ−タをリ−ル本体に設けられたハンドルの操作で巻取り駆動する駆動機構と、釣糸巻取り操作時に前記ロ−タの逆回転を防止する第１の逆回転防止装置と、前記ロ−タを釣糸放出操作時に好適な所定位置に係止保持する第２の逆回転防止装置とを備えた魚釣用スピニングリ−ルにおいて、
前記第１の逆回転防止装置を転がり式一方向クラッチで構成し、前記第１の逆回転防止装置による通常の逆転防止状態から前記第２の逆回転防止装置による所定位置係止状態に切換えるべく、操作部と作動部と軸承部とで形成されたレバ−状の切換操作部材を、前記リ−ル本体の釣竿装着部を有する脚部に形成された軸部で軸承することで回動操作可能に設け、該切換操作部材の操作部が上方に位置するように付勢されており、該切換操作部材の操作部を押し下げ操作した時のみ前記第１の逆回転防止装置による逆転防止状態が解除されて前記第２の逆回転防止装置で前記ロ−タを所定位置に係止し、該切換操作部材の操作部への操作力を解除することで前記第１の逆回転防止装置による通常の逆転防止状態へ切り替わることを特徴とする魚釣用スピニングリ−ル。
【発明の詳細な説明】
【０００１】
【発明の属する技術分野】
本発明は、逆回転防止装置を改良した魚釣用スピニングリ−ルに関する。
【０００２】
【従来の技術】
従来、魚釣用スピニングリ−ルの場合の釣糸放出操作は、ベ−ルを起こしてスプ−ルに巻回されている釣糸を釣竿を握持している手の人差指で掛止し、釣竿と一緒に振り下ろす時に人差指の掛止を解除して釣糸を放出する操作を行うが、この一連の操作を容易に行えるように、通常の逆転防止装置（第１逆転防止装置）の他に、釣竿を握持している手の人差指で釣糸を掛止できる一定位置にロ−タを係止保持できるように更に別の逆転防止装置（第２逆転防止装置）を備えたものが、例えば、実開昭５２−１９４９０号公報や実開昭５７−１９７８８０号公報で知られている。
これらは、ロ−タと一体回転する駆動軸部に前記第１逆転防止装置と第２逆転防止装置を備え、該第１逆転防止装置と第２逆転防止装置の各々に係合して逆転止め作用する係止部材を作動させる切換部材をリ−ル本体部に設け、両逆転防止装置による逆転止め状態を保持できるように構成されている。
【０００３】
しかしながら、リ−ル本体部に設けた単一の切換部材の操作で、通常の逆転防止状態と釣糸放出操作時に好適な位置にロ−タを逆転止めする一定位置逆転防止状態の両状態に切換え保持する構成のため、釣竿を握持保持している手又は、リ−ル本体のハンドルを握持している手によってリ−ル本体の後部に装着された切換部材をその都度持ち替えて切換え操作しなければならないため、迅速でかつ容易な切換え操作ができないと共に誤操作も生じ易い。
又、リ−ル本体の後部に切換部材を装備する構成上、リ−ル本体の後方が大型化し易く、リ−ル全体の小型化の面においても課題が残されている。
【０００４】
【発明が解決しようとする課題】
解決しようとする問題点は、リ−ル本体部に設けた単一の切換部材の操作で、通常の逆転防止状態と釣糸放出操作時に好適な位置にロ−タを逆転止めする一定位置逆転防止状態の両状態に切換え保持する構成のため、釣竿を握持保持している手又は、リ−ル本体のハンドルを握持している手によってリ−ル本体の後部に装着された切換部材をその都度持ち替えて切換え操作しなければならないため、迅速でかつ容易な切換え操作ができないと共に誤操作も生じ易い。
又、リ−ル本体の後部に切換部材を装備する構成上、リ−ル本体の後方が大型化し易く、リ−ル全体の小型化の面においても課題が残されていることである。
【０００５】
本発明の目的は前記欠点に鑑み、釣竿を握持した状態でのロ−タ逆転防止装置の切換え操作とロ−タを一定位置にする操作が誤操作無く迅速に容易に行える魚釣用スピニングリ−ルを提供することである。
【０００６】
【課題を解決するための手段】
上記課題を解決するために、
リ−ル本体に回転自在に支持されたロ−タと、該ロ−タをリ−ル本体に設けられたハンドルの操作で巻取り駆動する駆動機構と、釣糸巻取り操作時に前記ロ−タの逆回転を防止する第１の逆回転防止装置と、前記ロ−タを釣糸放出操作時に好適な所定位置に係止保持する第２の逆回転防止装置とを備えた魚釣用スピニングリ−ルにおいて、
前記第１の逆回転防止装置を転がり式一方向クラッチで構成し、前記第１の逆回転防止装置による通常の逆転防止状態から前記第２の逆回転防止装置による所定位置係止状態に切換えるべく、操作部と作動部と軸承部とで形成されたレバ−状の切換操作部材を、前記リ−ル本体の釣竿装着部を有する脚部に形成された軸部で軸承することで回動操作可能に設け、該切換操作部材の操作部が上方に位置するように付勢されており、該切換操作部材の操作部を押し下げ操作した時のみ前記第１の逆回転防止装置による逆転防止状態が解除されて前記第２の逆回転防止装置で前記ロ−タを所定位置に係止し、該切換操作部材の操作部への操作力を解除することで前記第１の逆回転防止装置による通常の逆転防止状態へ切り替わることを要旨とするものである。
【０００７】
【０００８】
【発明の実施の形態】
請求項１の本発明により、ロ−タ６の位置が釣糸放出操作時に好適な所定位置となるようにする時、釣竿１５と釣竿装着部１ａを握った手の指で切換操作部材４の操作部４ｂを押し下げると第１の逆回転防止装置Ａの逆転防止機能が解除され、ハンドル１２を逆回動させると第２の逆回転防止装置Ｂでロ−タ６の釣糸放出操作時に好適な所定位置となり、釣竿１５と釣竿装着部１ａを握った手とハンドル１２を握った手を離したり持ち替えることなく、釣竿１５を握持保持した状態を維持しながら、無理なく、迅速かつ容易にロ−タ６の逆転防止状態の切換え操作が行える。
【０００９】
また、切換操作部材４の操作部４ｂを手の指で押し下げ操作した時にロ−タ６を釣糸放出操作時に好適な所定位置に係止する第２の逆回転防止装置Ｂが機能し、切換操作部材４への操作を解除した時に転がり式一方向クラッチで構成された第１の逆回転防止装置による通常の逆転防止状態へ切り替わる簡単な切換え構成のため、スピニングリ−ルの釣糸放出状態と巻取り状態への切換え操作を、実釣時に誤操作無く素早く、簡単に行える。
【００１０】
【実施例】
以下、図示の実施例によって本発明を説明すると、図１から図５は第１実施例で、図１は魚釣用スピニングリ−ルの断面側面図、図２はリ−ル本体の要部拡大断面側面図、図３は第２の逆回転防止装置を示す断面正面図と要部拡大断面正面図、図４は第１の逆回転防止装置を示す断面正面図、図５は第１の逆回転防止装置の要部拡大断面正面図である。
【００１１】
魚釣用スピニングリ−ルは、リ−ル本体１の一側開口に図示しないビスで蓋体１０が取り付けられて閉塞されている。
リ−ル本体１と蓋体１０に取り付けられた図示しない軸受で駆動歯車２の駆動軸２ａが支承され、駆動軸２ａの中心多角形孔２ｂにハンドル駆動軸１１が左右交換自在に挿入嵌合されて抜け止めされている。
ハンドル駆動軸１１の一端にはハンドル１２が取り付けられている。
駆動軸２ａの外周には発条３が巻回されて摩擦結合されている。
【００１２】
リ−ル本体１の上側に釣竿装着部１ａを有する脚部１ｂが突出形成されてその基部正面に凹部１ｃが形成され、凹部１ｃの下側のリ−ル本体１に凹部１ｄが形成されている。
凹部１ｃの中にレバ−状切換操作部材４と発条１３が内装されて脚部１ｂと蓋体１０に保持された軸部１４でレバ−状切換操作部材４が変位可能な回動操作可能に軸承されている。
レバ−状切換操作部材４は軸部１４が軸承される軸承部４ａと、前方上方に突出されて釣竿１５を握った手の指で押し下げ自在に配置された操作部４ｂと、リ−ル本体１の凹部１ｄの中を前方に延びた作動部４ｃとで形成されている。
発条１３は軸部１４に巻回されて発条１３でレバ−状切換操作部材４の操作部４ｂが上方に位置するように付勢されている。
【００１３】
リ−ル本体１の前部の軸受１６で中空軸筒１７が軸承されてリ−ル本体１の前側に突出されている。
中空軸筒１７の軸受１６より後側外周に連動歯車１８と第２逆回転防止爪車１９が回り止め嵌合され、軸受１６より前側外周に第１逆回転防止爪車５とロ−タ６の中心筒軸部６ａが回り止め嵌合されてナット２０で固定されている。
中空軸筒１７の後端にはピニオン１７ａが形成されて駆動歯車２が噛合され、ロ−タ６はハンドル１２の回転に連動して回転されるように支持されている。
中空軸筒１７内に嵌合されて前側に突出されたスプ−ル軸２１の先端部に釣糸２２が巻回されたスプ−ル２３が支持され、スプ−ル軸２１の後端は軸受部１ｅの透孔を挿通後摺動子２４が固定されている。
連動歯車１８には小歯車２５を介してトラバ−スカム軸２６が連動回転されて摺動子２４とスプ−ル軸２１とスプ−ル２３がハンドル１２の回転に連動して前後に往復動される。
【００１４】
リ−ル本体１の前部に逆転防止爪７が軸部２７で回動自在に軸承されて発条２８で爪先７ａが第１逆回転防止爪車５に係合する方向に付勢されている。
逆転防止爪７は爪先７ａと作動部７ｂが形成されている。
リ−ル本体１に回動自在に操作杆２９が取り付けられ、操作杆２９の先端にカム部８が固定されている。
リ−ル本体１の後側外部に突出した操作杆２９に操作ツマミ３０が取り付けられている。
リ−ル本体１と操作杆２９またはカム部８の間に図示しないデットポイントバネが設けられている。
第１逆回転防止爪車５と逆転防止爪７と発条２８とカム部８で第１の逆回転防止装置Ａが構成されている。
【００１５】
カム部８には半円弧部と切欠き部を有するカム８ａが形成されて逆転防止爪７の作動部７ｂに半円弧部が当接されると爪先７ａが第１逆回転防止爪車５から離間され、切欠き部が当接されると爪先７ａが第１逆回転防止爪車５に係合可能である。
レバ−状切換操作部材４の作動部４ｃは逆転防止爪７の作動部７ｂに臨まされ、操作部４ｂが押し下げられると、作動部４ｃで作動部７ｂが押し下げられて爪先７ａが第１逆回転防止爪車５から離間される。
【００１６】
第２逆回転防止爪車１９は一つの切欠き１９ａで形成されて逆転防止爪９の爪先９ａが係合離脱自在に臨まされている。
逆転防止爪９はリ−ル本体１と蓋体１０に保持された軸部３１で回動自在に軸承されている。
逆転防止爪９には爪先９ａとバネ掛け部９ｂが形成されてバネ掛け部９ｂに発条３の一端３ａが係合され、発条３の他端３ｂは軸受部１ｅに当接されている。  ハンドル１２が回転されると駆動歯車２の駆動軸２ａが回転されて発条３を介して逆転防止爪９の爪先９ａが第２逆回転防止爪車１９の切欠き１９ａに係合離脱される。
第２逆回転防止爪車１９と逆転防止爪９と発条３で第２の逆回転防止装置Ｂが構成されている。
【００１７】
ロ−タ６は中心筒軸部６ａと前壁６ｂと円筒部６ｃと円筒部６ｃの後側から放射方向に延出した一対のベ−ル支持腕の基部６ｄ、６ｅと基部から前方に延出された一対のベ−ル支持腕６ｆ、６ｇとで形成されている。
一方のベ−ル支持腕６ｆの外側には一方のベ−ル支持部材３２が螺子３３で取り付けられ、他方のベ−ル支持腕６ｇの外側には他方のベ−ル支持部材３４が螺子３５で取り付けられ、かつ実線の釣糸巻取位置と図示しない釣糸放出位置に反転自在に取り付けられている。
【００１８】
一方のベ−ル支持部材３２には釣糸案内ロ−ラ３６の取付部３７が取り付けられている。
他方のベ−ル支持部材３４と釣糸案内ロ−ラ３６の取付部３７の間にベ−ル３８が取り付けられている。
一方のベ−ル支持腕６ｆの凹部内にはト−ションバネ３９が設けられて一端が一方のベ−ル支持部材３２の穴に、他端がベ−ル支持腕６ｆに係止されて一方のベ−ル支持部材３２と他方のベ−ル支持部材３４と釣糸案内ロ−ラ３６の取付部３７とベ−ル３８を釣糸巻取り位置と釣糸放出位置に振分け付勢するように構成され、ト−ションバネ３９はビス４０で固定されたカバ−４１で覆われている。
【００１９】
他方のベ−ル支持腕６ｇの凹部内には内蹴りレバ−４２が設けられて内蹴りレバ−４２の一端４２ａは他方のベ−ル支持部材３４の底面に穿設された穴に挿入されて所謂内蹴り反転機構が組み込まれ、内蹴りレバ−４２はビス４３で固定されたカバ−４４で覆われている。
内蹴りレバ−４２の他端４２ｂは他方のベ−ル支持腕６ｇ側の基部６ｅに穿設された透孔６ｈに挿入されてリ−ル本体１側に突出されている。
リ−ル本体１には反転用突起１ｆが形成されている。
【００２０】
釣糸巻取り操作時にロ−タ６の逆回転を防止する時は、操作ツマミ３０が回動されて第１の逆回転防止装置Ａの第１逆回転防止爪車５と逆転防止爪７の爪先７ａが係止されて通常の逆転防止状態となる。
ロ−タ６を釣糸放出操作時に好適な所定位置、即ち釣糸案内ロ−ラ３６が図１のように上方に位置されるようにする時は、切換操作部材４の操作部４ｂが押し下げられてハンドル１２が釣糸巻取り方向とは逆方向に回動される。
切換操作部材４の操作部４ｂが押し下げられると、作動部４ｃで逆転防止爪７の作動部７ｂが押し下げられて爪先７ａが第１逆回転防止爪車５から離間され、ロ−タ６の逆回転が可能になったところでハンドル１２が回動されると、第２の逆回転防止装置Ｂの逆転防止爪９の爪先９ａが第２逆回転防止爪車１９の切欠き１９ａに係合されてロ−タ６が釣糸放出操作時に好適な所定位置となる。
【００２１】
切換操作部材４の操作部４ｂの押し下げが解除されてハンドル１２が釣糸巻取り方向に回転されると、発条３で第２の逆回転防止装置Ｂの逆転防止爪９の爪先９ａが第２逆回転防止爪車１９の切欠き１９ａから離脱され、第１の逆回転防止装置Ａの逆転防止爪７の爪先７ａが第１逆回転防止爪車５から離間されてロ−タ６の回転が可能になる。
この状態で獲物の引きで釣糸２２が繰り出されると、ロ−タ６が逆回転されて第１逆回転防止爪車５に逆転防止爪７の爪先７ａが係止されてロ−タ６の逆回転が防止される。
【００２２】
魚釣用スピニングリ−ルが前記のように構成されると、ロ−タ６の位置が釣糸放出操作時に好適な所定位置となるようにする時、釣竿１５と釣竿装着部１ａを握った手の指で切換操作部材４の操作部４ｂを押し下げると第１の逆回転防止装置Ａの逆転防止機能が解除され、ハンドル１２を逆回動させると第２の逆回転防止装置Ｂでロ−タ６の釣糸放出操作時に好適な所定位置となり、釣竿１５と釣竿装着部１ａを握った手とハンドル１２を握った手を離したり持ち替えることなく、釣竿１５を握持保持した状態を維持しながら、無理なく、迅速かつ容易にロ−タ６の逆転防止状態の切換え操作が行える。
【００２３】
切換操作部材４の操作部４ｂを手の指で操作した時にロ−タ６を釣糸放出操作時に好適な所定位置に係止する第２の逆回転防止装置Ｂが機能し、切換操作部材４への操作を解除した時に第１の逆回転防止装置Ａによる通常の逆転防止状態へ切り替わる簡単な切換え構成のため、スピニングリ−ルの釣糸放出状態と巻取り状態への切換え操作を、実釣時に誤操作無く素早く、簡単に行える。
【００２４】
図６と図７は第２実施例で、図６は転がり式一方向クラッチの拡大断面正面図、図７は第１の逆回転防止装置を示す要部拡大断面正面図である。
【００２５】
第２実施例では、中空軸筒１７の軸受１６より後側外周に連動歯車１８と第２逆回転防止爪車１９が回り止め嵌合され、軸受１６より前側外周に鍔付きカラ−４８と第１逆回転防止爪車５とロ−タ６の中心筒軸部６ａが回り止め嵌合されてナット２０で固定されている。
第１逆回転防止爪車５には筒状の枠体５ａが一体に形成されている。
鍔付きカラ−４８の外周には転がり式一方向クラッチＣの内輪４９が回り止め嵌合され、内輪４９の外周に転がり部材５０が回転可能に載せられている。
枠体５ａに凹部５ｂが形成されて凹部５ｂ内に転がり式一方向クラッチＣの外輪５１が回り止め嵌着されて抜け止め板５２で抜け止めされている。
【００２６】
転がり式一方向クラッチＣは、外輪５１の内側に保持器５３が装着されて保持器５３の複数個の収容孔に楔作用する棒状転がり部材５０が収容されている。
外輪５１の内周面５１ａには凹部で棒状転がり部材５０の自由回転域αと棒状転がり部材５０が当接されて回転が阻止される阻止面βが構成されている。
他の構成は前記第１実施例と略同一である。
【００２７】
転がり式一方向クラッチＣの動作は図６で、中空軸筒１７が時計方向に回転されると、転がり部材５０が自由回転域αに位置して楔作用しない非作動状態となり、中空軸筒１７は時計方向に正回転が可能となる。
次に中空軸筒１７が反時計方向に回転されると、転がり部材５０が阻止面βに位置して楔作用する作動状態となり、中空軸筒１７の反時計方向の回転が阻止されて逆回転が不可能になる。
この時第１逆回転防止爪車５に逆転防止爪７の爪先７ａが係止されていると、中空軸筒１７の反時計方向の回転が迅速に阻止されて逆回転が不可能になる。
【００２８】
【発明の効果】
本発明は、以上説明したような形態で実施され、以下に記載されるような効果を奏する。
【００２９】
請求項１により、ロ−タの位置が釣糸放出操作時に好適な所定位置となるようにする時、釣竿と釣竿装着部を握った手の指で切換操作部材の操作部を押し下げると第１の逆回転防止装置の逆転防止機能が解除され、ハンドルを逆回動させると第２の逆回転防止装置でロ−タの釣糸放出操作時に好適な所定位置となり、釣竿と釣竿装着部を握った手とハンドルを握った手を離したり持ち替えることなく、釣竿を握持保持した状態を維持しながら、無理なく、迅速かつ容易にロ−タの逆転防止状態の切換え操作が行える。
【００３０】
また、切換操作部材の操作部を手の指で操作した時にロ−タを釣糸放出操作時に好適な所定位置に係止する第２の逆回転防止装置が機能し、切換操作部材の押し下げ操作を解除した時に転がり式一方向クラッチで構成された第１の逆回転防止装置による通常の逆転防止状態へ切り替わる簡単な切換え構成のため、スピニングリ−ルの釣糸放出状態と巻取り状態への切換え操作を、実釣時に誤操作無く素早く、簡単に行える。
【図面の簡単な説明】
【図１】第１実施例で、魚釣用スピニングリ−ルの断面側面図である。
【図２】同リ−ル本体の要部拡大断面側面図である。
【図３】同第２の逆回転防止装置を示す断面正面図と要部拡大断面正面図である。
【図４】同第１の逆回転防止装置を示す断面正面図である。
【図５】同第１の逆回転防止装置の要部拡大断面正面図である。
【図６】第２実施例で、転がり式一方向クラッチの拡大断面正面図である。
【図７】同第１の逆回転防止装置を示す要部拡大断面正面図である。
【符号の説明】
Ａ  第１の逆回転防止装置
Ｂ  第２の逆回転防止装置
１  リ−ル本体
１ａ  釣竿装着部
１ｂ  脚部
４、切換操作部材
６  ロ−タ
１２  ハンドル
【図１】
0003585782.tif 000002
【図２】
0003585782.tif 000003
【図３】
0003585782.tif 000004
【図４】
0003585782.tif 000005
【図５】
0003585782.tif 000006
【図６】
0003585782.tif 000007
【図７】
0003585782.tif 000008